(57)【特許請求の範囲】
【請求項１】
利用者を撮影して顔画像データを生成する撮影装置、前記顔画像データに対して固有の撮影番号を生成する撮影番号生成部、及び前記撮影番号を紐付けて前記顔画像データを送信する通信装置を有する顔画像撮影登録装置と、
前記通信装置から受信した前記撮影番号が紐付けられた顔画像データを記憶する記憶部、及び顔画像データの要求を受け付けた場合、この要求と共に通知された撮影番号に対応する顔画像データを前記記憶部から取り出して送信する画像送信部を有するサーバ装置と、
を備え、
前記サーバ装置は、各顔画像データの送信回数を管理する画像要求処理部をさらに有し、
前記画像要求処理部は、前記送信回数が所定値に達した顔画像データの送信を拒否し、
前記顔画像撮影登録装置は、前記撮影番号をコード化したコード画像をプリントした登録確認証を出力し、前記所定値と同数の前記コード画像を前記登録確認証にプリントすることを特徴とする顔画像配信システム。
【請求項２】
請求項１において、前記サーバ装置は、前記記憶部から取り出した顔画像データを、前記顔画像データの要求元に応じたデータサイズに加工する画像加工部をさらに有することを特徴とする顔画像配信システム。
【発明の詳細な説明】
【技術分野】
【０００１】
本発明は、利用者の顔画像を撮影して保管し、配信する顔画像配信システムに係り、特に試験の受験者の顔画像を撮影して保管し、試験実施機関からの要求に応じて受験者の顔画像を試験実施機関に提供する顔画像配信システムに関する。また、本発明は、利用者の顔画像を撮影し、サーバ装置に登録する顔画像撮影登録装置に関する。
【背景技術】
【０００２】
従来、免許証、パスポート、履歴書等に貼付するための証明写真等を撮影するためのボックス型の写真撮影装置が知られている。写真撮影装置は、撮影した顔画像を複数個の画像コマにして、１枚のプリント用紙にプリントして出力する。
【０００３】
例えば、資格試験、検定試験、入学試験等の試験を受験する受験者は、試験実施機関に願書を提出し、送られてきた受験票に顔写真を貼付して、試験会場に持参する。受験票に貼付する写真のサイズは試験毎に異なるため、受験者は試験毎にプリント用紙の画像コマを所定サイズに切り出す必要があり、手間がかかっていた。
【先行技術文献】
【特許文献】
【０００４】
【特許文献１】特開２０００−６９４０２号公報
【発明の概要】
【発明が解決しようとする課題】
【０００５】
本発明は、上記従来の実状に鑑みてなされたものであり、利用者の顔画像を撮影して保管し、特定の機関からの要求に応じて顔画像を提供する顔画像配信システム、及び利用者の顔画像を撮影し、サーバ装置に登録する顔画像撮影登録装置を提供することを課題とする。
【課題を解決するための手段】
【０００６】
本発明による顔画像配信システムは、利用者を撮影して顔画像データを生成する撮影装置、前記顔画像データに対して固有の撮影番号を生成する撮影番号生成部、及び前記撮影番号を紐付けて前記顔画像データを送信する通信装置を有する顔画像撮影登録装置と、前記通信装置から受信した前記撮影番号が紐付けられた顔画像データを記憶する記憶部、及び顔画像データの要求を受け付けた場合、この要求と共に通知された撮影番号に対応する顔画像データを前記記憶部から取り出して送信する画像送信部を有するサーバ装置と、を備えるものである。
【０００７】
本発明の一態様による顔画像配信システムにおいて、前記サーバ装置は、前記記憶部から取り出した顔画像データを、前記顔画像データの要求元に応じたデータサイズに加工する画像加工部をさらに有してもよい。
【０００８】
本発明の一態様による顔画像配信システムにおいて、前記サーバ装置は、各顔画像データの送信回数を管理する画像要求処理部をさらに有してもよい。この場合、前記画像要求処理部は、前記送信回数が所定値に達した顔画像データの送信を拒否してもよい。
【０００９】
本発明の一態様による顔画像配信システムにおいて、前記顔画像撮影登録装置は、前記撮影番号をコード化したコード画像をプリントした登録確認証を出力してもよい。この場合、前記顔画像撮影登録装置は、前記所定値と同数の前記コード画像を前記登録確認証にプリントしてもよい。
【００１０】
本発明による顔画像撮影登録装置は、利用者を撮影して顔画像データを生成する撮影装置と、前記顔画像データに対して固有の撮影番号を生成する撮影番号生成部と、前記撮影番号を紐付けて前記顔画像データをサーバ装置に送信して登録する通信装置と、前記撮影番号をコード化したコード画像をプリントした登録確認証を出力するプリンタと、を備えるものである。
【発明の効果】
【００１１】
本発明によれば、利用者の顔画像を撮影して保管し、特定の機関からの要求に応じて顔画像を提供することができる。例えば、試験実施機関に受験者の顔画像を提供することで、受験者は、試験実施機関によって定められた所定のサイズの顔写真を準備する必要がなくなり、手間を軽減できる。
【図面の簡単な説明】
【００１２】
【図１】本発明の実施形態に係る顔画像配信システムの概略図である。
【図２】同実施形態に係る顔画像撮影登録装置で作成される登録確認証の概略図である。
【図３】同実施形態に係る顔画像撮影登録装置の概略構成図である。
【図４】演算制御装置の概略構成図である。
【図５】顔画像登録プログラムの実行により実現される機能ブロック図である。
【図６】同実施形態に係るサーバ装置の機能ブロック図である。
【図７】同実施形態に係る顔画像配信方法を説明するシーケンス図である。
【発明を実施するための形態】
【００１３】
以下、本発明の実施の形態を図面に基づいて説明する。
【００１４】
図１は、本発明の実施形態に係る顔画像配信システムの概略図である。顔画像配信システムは、顔画像撮影登録装置１及びサーバ装置２を備え、利用者の顔画像を撮影して保管し、特定の機関からの要求に応じて顔画像を提供するものである。本実施形態では、資格試験等の試験の受験者Ｐを利用者とし、試験実施機関５からの要求に応じて受験者Ｐの顔画像を提供する例について説明する。
【００１５】
受験者Ｐは、顔画像撮影登録装置１で自身の顔画像を撮影する。顔画像撮影登録装置１は、作成した顔画像データに対し、固有の撮影番号を発番し、この撮影番号を含むファイル名で顔画像データをサーバ装置２へ送信して登録する。
【００１６】
顔画像データの登録後、顔画像撮影登録装置１は、図２に示すような登録確認証３を発行する。登録確認証３には、登録した顔画像３１、撮影番号３２、撮影番号をコード化したバーコード３３がプリントされている。バーコード３３は複数プリントされていてもよく、図２は３個のバーコード３３がプリントされた例を示している。
【００１７】
受験者Ｐは、登録確認証３からバーコード３３を切り取り、願書４に貼付して試験実施機関５へ提出する。バーコード３３の貼付に代えて、登録確認証３に印字されている撮影番号３２を願書に記入してもよい。試験実施機関５は、願書４を受け取ると、バーコード読取機（図示略）を用いて、貼付されているバーコード３３を読み取って撮影番号を取得する。
【００１８】
試験実施機関５は、コンピュータ等（図示略）を用いてサーバ装置２に対し撮影番号を通知し、対応する顔画像データを要求する。サーバ装置２は、要求に応じて、撮影番号に対応する顔画像データを試験実施機関５に提供する。これにより、試験実施機関５は、受験者Ｐの顔画像を取得することができる。試験実施機関５は、取得した顔画像を用いて、試験会場で受験者Ｐの照合を行う。
【００１９】
図３に示すように、顔画像撮影登録装置１は、受験者Ｐの撮影を行う撮影空間を有するボックス型の証明写真撮影装置であり、演算制御装置１０と、受験者Ｐを撮影して顔画像データを生成する撮影装置１１と、受験者Ｐから各種指示を受け付けると共に、プレビュー画像や各種情報を表示するタッチパネル（指示受付部及び表示部）１２と、撮影装置１１が受験者Ｐを撮影する際に光を照射するストロボ１３と、を備える。
【００２０】
顔画像撮影登録装置１には、登録確認証３をプリントして出力するプリンタ１４が設けられている。プリンタ１４のプリント方式は特に限定されず、インクジェット方式、昇華型熱転写方式、溶融型熱転写方式等を用いることができる。
【００２１】
また、顔画像撮影登録装置１は、撮影番号が紐付けられた顔画像データをサーバ装置２へ有線／無線で送信する通信装置１５を備えている。
【００２２】
顔画像撮影登録装置１には、利用者が支払う貨幣を受け入れたり、釣銭を払い出したりする課金部（図示せず）がさらに設けられている。また、顔画像撮影登録装置１に、電子マネーでの支払いを受け付ける課金部が設けられていてもよい。
【００２３】
撮影装置１１は、例えばデジタルカメラであり、レンズ、シャッタ、ＣＭＯＳセンサ、Ａ／Ｄ変換器等を有する。撮影装置１１が受験者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、顔画像データを生成する。撮影装置１１は、顔画像データを演算制御装置１０へ出力する。撮影装置１１は、撮影を複数回行い、複数の顔画像データを演算制御装置１０へ出力してもよい。
【００２４】
タッチパネル１２は、操作ボタンを表示し、操作ボタンが押されると、その操作ボタンに対応した操作指示を受け付ける。例えば、タッチパネル１２は、受験者Ｐから、サービスの選択指示を受け付ける。この顔画像撮影登録装置１は、顔画像の登録だけでなく、顔画像を用途に応じたサイズで印画紙にプリントして出力したり、スマートフォン等の携帯端末へ顔画像データを転送したりすることができる。
【００２５】
タッチパネル１２は、受験者Ｐを撮影した複数の顔画像を表示し、登録する顔画像の選択指示を受け付けることができる。
【００２６】
演算制御装置１０は、顔画像撮影登録装置１の各部の制御やデータの受け渡しを行う。図４に、演算制御装置１０のハードウェア構成を示す。演算制御装置１０は、ＣＰＵ（中央演算処理部）１００、メインメモリ１０２、ディスク装置１０４、及び入出力部１０６を有する。演算制御装置１０の各部はバスを介して接続されている。
【００２７】
ディスク装置１０４は、例えばハードディスクドライブであり、ＣＰＵ１００により実行される顔画像登録プログラム１１０を格納する。
【００２８】
ＣＰＵ１００は、ディスク装置１０４内の顔画像登録プログラム１１０をメインメモリ１０２にロードして、顔画像登録プログラム１１０を実行する。
【００２９】
図５に、ＣＰＵ１００が顔画像登録プログラム１１０を実行することで実現される機能ブロック図を示す。顔画像登録プログラム１１０の実行により、撮影番号生成部１１１、画像処理部１１２、登録処理部１１３、及びプリント処理部１１４が実現される。
【００３０】
撮影番号生成部１１１は、サーバ装置２へ送信する顔画像データに紐付ける撮影番号を生成する。撮影番号は顔画像データに固有のものであり、例えば、顔画像撮影登録装置１の号機番号と、撮影を行った年月日時分とを組み合わせて生成される。
【００３１】
画像処理部１１２は、撮影装置１１により生成された顔画像データから、タッチパネル１２でのプレビュー表示用の画像データを作成する。また、画像処理部１１２は、サーバ装置２への顔画像データの登録後、登録した顔画像、撮影番号、撮影番号をコード化したバーコード画像を含む登録確認証データを作成する。
【００３２】
登録処理部１１３は、顔画像データに撮影番号を紐付け、通信装置１５を用いてサーバ装置２へ送信し、顔画像データの登録を行う。例えば、登録処理部１１３は、撮影番号をファイル名とした顔画像データをサーバ装置２へ送信する。
【００３３】
プリント処理部１１４は、登録確認証データを用いて、プリンタ１６から登録確認証３をプリント出力させる。
【００３４】
図６は、サーバ装置２の機能ブロック図である。サーバ装置２は、例えばコンピュータにより構成されている。図６に示す通り、サーバ装置２は、画像受信部２１、画像送信部２２、画像要求処理部２３、画像加工部２４及び記憶部２５を有する。
【００３５】
画像受信部２１は、顔画像撮影登録装置１から撮影番号が紐付けられた顔画像データを受信する。受信した顔画像データは記憶部２５に保存される。
【００３６】
画像要求処理部２３は、試験実施機関５のコンピュータ等（以下、このコンピュータ等を、説明の便宜上、単に“試験実施機関５”と記載する場合がある）から撮影番号が通知されると、記憶部２５を検索し、この撮影番号に対応する顔画像データを取り出す。試験実施機関５が要求する顔画像データのサイズが予め設定されている場合、画像加工部２４が顔画像データを所定サイズに加工する。
【００３７】
画像送信部２２は、試験実施機関５に対し顔画像データを送信する。
【００３８】
図７は、本実施形態に係る顔画像配信方法を説明するシーケンス図である。受験者Ｐは、顔画像撮影登録装置１を操作し、顔画像の登録モードを選択する（ステップＳ１０１）。顔画像撮影登録装置１は、顔画像の登録モード以外にも、撮影した顔画像を印画紙にプリントして出力するモードや、顔画像データを受験者Ｐが所有するスマートフォン等の携帯端末へ転送するモード等を有している。
【００３９】
顔画像撮影登録装置１が受験者Ｐを撮影し、顔画像データを作成する（ステップＳ１０２）。撮影装置１１が複数回撮影を行ってタッチパネル１２に複数の顔画像を表示し、受験者Ｐが選択してもよい。
【００４０】
顔画像撮影登録装置１が、顔画像データに対し、固有の撮影番号を生成し、この撮影番号をファイル名として顔画像データをサーバ装置２へ送信する（ステップＳ１０３）。サーバ装置２は、受信した顔画像データを記憶部２５に保存する（ステップＳ１０４）。
【００４１】
サーバ装置２から顔画像データの登録が完了したことを通知されると、顔画像撮影登録装置１は、プリンタ１４から、登録確認証３を出力する（ステップＳ１０５）。受験者Ｐは登録確認証３を取得する（ステップＳ１０６）
【００４２】
受験者Ｐは、登録確認証３からバーコード３３を切り抜き、願書に貼付して試験実施機関５へ提出する（ステップＳ１０７）。登録確認証３がシール台紙になっており、バーコード３３部分を剥がして、願書に貼付できるようになっていてもよい。
【００４３】
試験実施機関５は、願書に貼付されたバーコード３３を読み取って撮影番号を取得し、取得した撮影番号をサーバ装置２に通知して、この撮影番号に対応する顔画像データを要求する（ステップＳ１０８）。
【００４４】
サーバ装置２は、通知された撮影番号に対応する顔画像データを試験実施機関５へ送信する（ステップＳ１０９）。これにより、試験実施機関５は、受験者Ｐの顔画像データを取得できる。試験実施機関５は取得した顔画像をプリントした受験票を作成し（ステップＳ１１０）、受験者Ｐへ送付する（ステップＳ１１１）。また、この顔画像を試験当日の本人照合に使用する。
【００４５】
このように、本実施形態によれば、受験者Ｐは顔画像撮影登録装置１で撮影を行い、顔画像をサーバ装置２に登録しておくことで、所定のサイズの顔写真を準備する必要がなくなる。特に、複数の試験を受験する場合、複数の試験実施機関５毎に定められた複数の異なるサイズの顔写真を準備する必要がなくなり、手間を軽減できる。
【００４６】
また、試験実施機関５は、ボックス型の証明写真撮影装置である顔画像撮影登録装置１で作成された顔画像データが提供されるため、受験者Ｐの鮮明な顔画像を取得できる。また、顔画像データの撮影日時が分かるため、一定期間内に撮影されたものであるか否かを容易に判別することができる。
【００４７】
上記実施形態において、登録された顔画像データの使用回数に上限を設け、登録確認証３には、上限数と同数のバーコード３３を印字してもよい。この場合、画像要求処理部２３が、撮影番号毎に、試験実施機関５から顔画像データが要求された回数をカウントして記憶部２５に記録し、上限回数を超えた場合は顔画像データの提供を拒否してもよい。このように、サーバ装置２から試験実施機関５への顔画像データの送信回数を管理することで、登録確認証３のバーコード３３をコピーして不正に使用されることを防止できる。
【００４８】
顔画像データの使用回数の上限は、顔画像撮影登録装置１で顔画像を撮影する際に選択できるようにしてもよい。受験者Ｐは、選択した使用回数に応じた料金を支払う。顔画像撮影登録装置１は、選択された使用回数と同数のバーコード３３を印字した登録確認証３を出力する。顔画像撮影登録装置１は、顔画像データの登録時に、受験者Ｐが選択した使用回数をサーバ装置２に通知する。
【００４９】
また、受験者Ｐがサーバ装置２により提供されるウェブサイトにアクセスして自身の登録確認証３に印字されている撮影番号を入力し、カード決済等による追加料金の支払いにより、顔画像データの使用回数を増やせるようにしてもよい。これにより、当初の予定より受験回数が増えた場合でも、再度、顔画像撮影登録装置１で撮影を行わなくてもよく、受験者Ｐの利便性が向上する。登録確認証３のバーコード３３を全て使用した後は、バーコード３３の貼付に代えて撮影番号を願書等に記入すればよい。
【００５０】
上記実施形態では、登録確認証３に、撮影番号をコード化したバーコード３３がプリントされる例について説明したが、画像処理部１１２が撮影番号を二次元コードなど他のコード画像にコード化し、登録確認証３にプリントされるようにしてもよい。
【００５１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５２】
１  顔画像撮影登録装置
２  サーバ装置
３  登録確認証
４  願書
５  試験実施機関
１０  演算制御装置
１１  撮影装置
１２  タッチパネル
１４  プリンタ
１５  通信装置
【図１】
0006668702.tif 000002
【図２】
0006668702.tif 000003
【図３】
0006668702.tif 000004
【図４】
0006668702.tif 000005
【図５】
0006668702.tif 000006
【図６】
0006668702.tif 000007
【図７】
0006668702.tif 000008